(57)【要約】【課題】身長の異なる子供、大人および高齢者等が楽に洗浄作業ができる流し台を提供することを目的とする。【解決手段】本発明の多段流し台は、ワークトップの上面の高さが異なるシンクを備え、シンク後方に設置された蛇口とコックを、それぞれ流し台前面に設置された蛇口回転コックと水量調整コックを連動し、ワークトップの低い部分の突出部下方に、椅子に着座した人の膝を挿入可能な空間が形成されているものである。【選択図】　図２
2004132043.tif 000002
【特許請求の範囲】
【請求項１】
ワークトップの上面の高さが異なる１つのシンクを備えたことを特徴とする多段流し台。
【請求項２】
シンク後方に設置された水道の蛇口が、流し台の前面に設置された蛇口回転手段と連動している請求項１に記載の多段流し台。
【請求項３】
シンク後方に設置された水道のコックが、流し台の前面に設置された水量調整手段と連動している請求項１に記載の多段流し台。
【請求項４】
蛇口回転手段を回転することで、蛇口が回転する請求項２記載の多段流し台。
【請求項５】
蛇口回転手段を左右にスライドすることで蛇口が回転する請求項２記載の多段流し台。
【請求項６】
水量調整手段を回転することで蛇口から出る水量を調整する請求項３記載の多段流し台。
【請求項７】
水量調整手段を左右にスライドすることで蛇口から出る水量を調整する請求項３記載の多段流し台。
【請求項８】
ワークトップの上面の高さが高い部分がシンクの深さが浅く、ワークトップの高さが低い部分がシンクの深さが深い請求項１〜７のいずれかに記載の多段流し台。
【請求項９】
ワークトップの上面の高さが低い部分のシンクに排水口が設置されている請求項１〜７のいずれかに記載の多段流し台。
【発明の詳細な説明】
【０００１】
【発明の属する技術分野】
本発明は、家庭用システムキッチン等に設置される流し台のシンクに関し、１つのシンクでワークトップの高さが異なる多段流し台に関する。
【０００２】
【従来の技術】
台所に設置されたシステムキッチンは、シンクや湯水を供給する水栓等を備えた流し台ユニット、前面に引き出し等を有し上面を調理スペースとした調理台ユニット及びガスの火口を有するガスコンロユニット等の各ユニットからなり、これらユニットを適宜選択して直線状あるいはＬ字状等に組み合わせ、各機能を使いやすくしている。流し台ユニットのシンクの深さが同一のものや、特許文献１に示されるように、流し台ユニットのシンクの底部の深さを浅い部分と深い部分に分離しているものがあった。また、これらの水道の水量調整コックは、シンクの後方に設置されていた。
【０００３】
【特許文献１】
特開平１１−１０３９４８号公報
【０００４】
【発明が解決しようとする課題】
しかしながら、流し台ユニットのワークトップの高さが一定で、シンクの深さだけが異なる場合、身長の高さが合っていて作業がし易い人にはよいが、同じ家族で身長の低い子供や体力の衰えた老人には、野菜や茶碗、コップなどを洗う場合には、水道の蛇口は、大抵の場合、シンクの中央付近まで突き出しているので、身長の低い子供や体力の衰えた老人でも不自由なく水道の出る位置を変えることができるが、水量調整コックがシンクの後方にあるので、踏み台などが必要となり、足を踏み外すと危険な状態になったりする課題があった。
【０００５】
【課題を解決するための手段】
本発明は上記課題を解決するために、次のように構成した。
【０００６】
請求項１に記載の多段流し台は、ワークトップの上面の高さが異なる１つのシンクを備えたことを特徴とする。
【０００７】
請求項２に記載の多段流し台は、シンク後方に設置された水道の蛇口が、流し台の前面に設置された蛇口回転手段と連動していることを特徴とする。
【０００８】
請求項３に記載の多段流し台は、シンク後方に設置された水道のコックが、流し台の前面に設置された水量調整手段と連動していることを特徴とする。
【０００９】
請求項４に記載の多段流し台は、蛇口回転手段を回転することで、蛇口が回転することを特徴とする。
【００１０】
請求項５に記載の多段流し台は、蛇口回転手段を左右にスライドすることで蛇口が回転することを特徴とする。
【００１１】
請求項６に記載の多段流し台は、水量調整手段を回転することで蛇口から出る水量を調整することを特徴とする。
【００１２】
請求項７に記載の多段流し台は、水量調整手段を左右にスライドすることで蛇口から出る水量を調整することを特徴とする。
【００１３】
請求項８に記載の多段流し台は、ワークトップの上面の高さが高い部分がシンクの深さが浅く、ワークトップの高さが低い部分がシンクの深さが深いことを特徴とする。
【００１４】
請求項９に記載の多段流し台は、ワークトップの上面の高さが低い部分のシンクに排水口が設置されていることを特徴とする。
【００１５】
【発明の実施の形態】
本発明にかかる多段流し台の実施の形態について図を用いて詳細に説明する。
【００１６】
（実施の形態１）
図１に多段流し台１を示す。本発明の特徴は、ワークトップの高さが異なるシンクを有していることである。また、ワークトップが低い部分には、ワークトップ３ｂが突出部下方に椅子に着座した人の膝を挿入可能な空間が形成されている。一般にワークトップの高さは、キッチンで一番作業する人（たとえば大人の女性）が、作業し易い高さに合わせるのがベストであった。しかし、近年、キッチンにおける家事は女性だけでなく、男性や身長の低い子供や体力が衰えた高齢者などが様々な形で家事調理に携わっているが、身長の高さが、それぞれ異なるので、ワークトップの高さが、一定の流し台だと身長の低い子供や高齢者にとって不自由な場合がある。
【００１７】
そこで、本発明によると、シンクにおけるワークトップの高さが高い部分と低い部分があるので、身長が高い大人と身長の低い子供や体力が衰えた高齢者がいる場合、身長の高い女性は、高さの高いシンク４ａで野菜や使用した鍋や茶碗などの食器を洗い、身長の低い子供が手伝う場合には、高さの低いシンク４ｂを使用すれば、一緒に使用することができ、子供と一緒に家事を楽しむと同時に家事のプロセスや内容などを伝承することが可能となる。また、子供だけの場合でも、高さの低いシンク４ｂを使用すれば、ワークトップ３ａの高さのままで、水道の水量調整コック７で水量を調整するよりも、高さの低いワークトップ３ｂの方から水量調整コック４で水量を調整する方が遙かに水量調整が楽な姿勢で行うことができる。高齢者の場合においても同様である。また、高さの低いワークトップ３ｂに具備されたシンク４ｂを使用することで、背伸びなどの無理な姿勢で使用したコップや茶碗などを洗って衣服などを濡らすこともない。さらに、体力が衰えた高齢者や腰の曲がった高齢者がいても高さの低いシンク４ｂを使用し、椅子に着座して、無理な姿勢をしないで野菜や使用した食器類を洗うことができる。また、シンクの深さが、シンク４ａとシンク４ｂでは異なるため、シンクの深さが浅いシンク４ａの底部に凹凸のリブ形成し、さらにシンク４ｂ側に僅かに傾斜させることによって、シンク４ａの底部から、シンク４ｂに水を流し落とすことができ、シンク４ａでの水切りが容易となる。
【００１８】
（実施の形態２）
図２に第２の実施の形態について説明する。実施の形態１と大きくことなるのは、水道の蛇口５の向きおよび水量調整が、前面に設置された蛇口回転コック２２と水量調整コック２１によってなされることである。身長の低い子供や高齢者がいる場合、水道の蛇口の位置や水量調整が、前面にあるコック２２，２１を回転することでなされるので、これまでのように背伸びをしたり踏み台を使用する必要がない。例えば、蛇口回転コック２２を左の方向に回転すれば、蛇口５は蛇口の回転方向２３に示すように回転する。
【００１９】
また、水量調整コック２１は、単なるｏｎ−ｏｆｆではなく、水量を零から徐々に増加させることができる。さらに、体力が衰えた高齢者が椅子に着座して作業がしやすいようにワークトップの高い方の前面に蛇口回転コック２２と水量調整コック２１が設置されている。図示していないが、ワークトップの低い方の前面上部に、手すりなどを設置すると高齢者にはさらに使い勝手が向上する。
【００２０】
図３は、水量調整や蛇口の回転をスライド式のコックと連動して可能にするものである。
【００２１】
手のつかむ機能が低下し、ひねり動作が困難な場合には、回転式のコックよりもスライド式のコックの方が使い勝手がよい。
【００２２】
従って、本発明によると、シンクにおけるワークトップの高さが高い部分と低い部分があるので、身長が高い大人と身長の低い子供や体力が衰えた高齢者がいる場合、身長の高い女性は、高さの高いシンク４ａで野菜や使用した鍋や茶碗などの食器を洗い、身長の低い子供が手伝う場合には、高さの低いシンク４ｂを使用すれば、一緒に使用することができ、子供と一緒に家事を楽しむと同時に家事のプロセスや内容などを伝承することが可能となる。また、子供だけの場合でも、高さの低いシンク４ｂを使用すれば、ワークトップ３ａの高さのままで、水道の水量調整コック４で水量を調整するよりも、高さの低いワークトップ３ｂの方から水量調整コック４で水量を調整する方が遙かに水量調整が楽な姿勢で行うことができる。高齢者の場合においても同様である。また、高さの低いワークトップ３ｂに具備されたシンク４ｂを使用することで、背伸びなどの無理な姿勢で使用したコップや茶碗などを洗って衣服などを濡らすこともない。さらに、体力が衰えた高齢者や腰の曲がった高齢者がいても高さの低いシンク４ｂを使用し、椅子に着座して、無理な姿勢をしないで野菜や使用した食器類を洗うことができる。また、シンクの深さが、シンク４ａとシンク４ｂでは異なるため、シンクの深さが浅いシンク４ａの底部に凹凸のリブ形成し、さらにシンク４ｂ側に僅かに傾斜させることによって、シンク４ａの底部から、シンク４ｂに水を流し落とすことができ、シンク４ａでの水切りが容易となる。
【００２３】
上記、実施の形態１および２では、車椅子に乗ったまま洗浄作業等ができる流し台であることは言うまでもない。
【００２４】
【発明の効果】
以上説明したように本発明の多段流し台を使用すると、身長の低い子供から高齢者まで、野菜や使用した食器類を無理な姿勢をしないで洗浄することができ、特に高齢者において、椅子に着座した状態で水道の蛇口の向きや水量を楽な姿勢で調整できるるようになった。従って、本多段流し台は、三世代にわたって幅広く活用できる。
【図面の簡単な説明】
【図１】本発明の多段流し台を示す斜視図
【図２】本発明の多段流し台を示す斜視図
【図３】本発明の多段流し台を示す斜視図
【符号の説明】
１　流し台
２　キャビネット
３ａ，３ｂ　ワークトップ
４ａ，４ｂ　シンク
５　蛇口
６　コンロ
７　コック
２１，３１　水量調整コック
２２，３２　蛇口回転コック
２３　椅子
【図１】
2004132043.tif 000003
【図２】
2004132043.tif 000004
【図３】
2004132043.tif 000005